(57)【要約】【課題】マルチディスプレイ環境下で、個々の画像表示装置の省電力を設定できるようにする。【解決手段】画像表示装置２００は、表示部２０１、画面変化量検出部２０２、及び省電力制御部２０３とから構成される。表示部２０１は、入力映像信号に基づく画面を表示する。画面変化量検出部２０２は、入力映像信号の画面の変化量を検出する。省電力制御部２０３は、画面変化量に基づいて電力を制御する。【選択図】図７
2019144302.tif 000002
【特許請求の範囲】
【請求項１】
入力映像信号に基づく画面を表示する表示部と、
前記入力映像信号の異なる時間における画面の変化量を検出する画面変化量検出部と、
前記画面変化量検出部で検出された画面変化量に基づいて電力を制御する省電力制御部と
を備えた画像表示装置。
【請求項２】
前記画面変化量検出部は、入力映像信号のフレーム間差分を算出し、前記フレーム間差分から画面の変化量を検出する請求項１に記載の画像表示装置。
【請求項３】
前記画面変化量検出部は、入力映像信号の映像ヒストグラムを生成し、入力映像信号の映像ヒストグラムのフレーム間差分を算出し、前記映像ヒストグラムのフレーム間差分から画面の変化量を検出する請求項１に記載の画像表示装置。
【請求項４】
前記画面変化量検出部は、所定の計測領域で、所定の計測時間の間に、画面の変化量を検出し、当該検出された変化量としきい値と比較する請求項１乃至３の何れか１項に記載の画像表示装置。
【請求項５】
前記計測領域、前記計測時間、及び前記しきい値は、計測パラメータとしてユーザが設定可能とした請求項４に記載の画像表示装置。
【請求項６】
前記省電力制御部は、前記表示部に対して設けられた光源の輝度を制御する請求項１乃至５の何れか１項に記載の画像表示装置。
【請求項７】
前記省電力制御部は、入力映像信号の画面の変化量が大きければ、前記光源の輝度を定常値に設定し、前記入力映像信号の画面の変化量が小さければ、前記光源の輝度を低下させる請求項６に記載の画像表示装置。
【請求項８】
入力映像信号に基づく画面を表示する画像表示装置の省電力管理方法であって、
入力映像信号の異なる時間における画面の変化量を検出する工程と、
当該検出された画面変化量に基づいて電力を制御する工程と
を含む画像表示装置の省電力管理方法。
【請求項９】
複数の画像表示装置を配設したマルチディスプレイシステムの省電力管理装置であって、
前記複数の画像管理装置は、入力映像信号に基づく画面を表示する表示部と、前記入力映像信号の異なる時間における画面の変化量を検出する画面変化量検出部と、前記画面変化量検出部で検出された画面変化量に基づいて電力を制御する省電力制御部とを備える
マルチディスプレイシステムの省電力管理装置。
【発明の詳細な説明】
【技術分野】
【０００１】
本発明は、画像表示装置、画像表示装置の省電力管理方法、及びマルチディスプレイシステムの省電力管理装置に関する。
【背景技術】
【０００２】
近年、１台のＰＣ（Personal Computer）に複数の映像表示装置を接続し、マルチディスプレイ環境で各種の作業を行うことが多くなっている。マルチディスプレイ環境では、複数の映像表示装置の画面を１つの大画面として扱え、作業効率の向上を図ることができる。
【０００３】
また、近年の映像表示装置には、省電力機能が備えられたものがある。省電力機能が備えられた映像表示装置では、例えば同期信号の有無により映像信号が入力されているか否かを判定し、映像信号が入力されていなければ、画面を消去するようにして、消費電力の低減を図るようにしている。また、特許文献１には、カラーバーのような特定静止画信号を予め登録しておき、特定静止画を一定時間表示したときに、バックライトの輝度を低下させるようにしたものが記載されている。また、ＰＣを使った省電力機能では、例えばマウスやキーボード等の操作が所定時間以上されていないことが検出されると、画面を消去するようにしたものが知られている。
【先行技術文献】
【特許文献】
【０００４】
【特許文献１】特開２００３−２７１１０６号公報
【発明の概要】
【発明が解決しようとする課題】
【０００５】
上述のように、省電力機能を備えた画像表示装置では、同期信号や特定静止画の検出により、省電力機能を動作させている。また、ＰＣの場合には、マウスやキーボードの操作を検出して、省電力機能を動作させている。しかしながら、このような方法では、マルチディスプレイ環境で個々の画像表示装置毎に、省電力を設定することは難しい。
【０００６】
つまり、マルチディスプレイ環境で、ユーザが特定の画像表示装置だけを見て作業を行っている場合が想定される。この場合、不使用の画像表示装置のみ、省電力に設定することが望まれる。しかしながら、上述の省電力機能を備えた画像表示装置では、同期信号や特定静止画を検出して、省電力機能を動作させている。したがって、特定の画像表示装置だけを省電力となるように設定するためには、画像供給装置側でどの画像表示装置を省電力に設定するかを識別する必要があり、また、画像表示装置側で、省電力に設定する画像表示装置にのみ映像信号の出力を停止したり、特定静止画を送信したりする処理を行わなければならなくなり、処理が複雑化する。マウスやキーボードの操作を検出して省電力を設定した場合には、マウスやキーボードが所定時間以上操作されないと、マルチディスプレイを構成する複数の画像表示装置の画面が一斉に消去されることになり、ユーザが使用中の画像表示装置の表示だけを維持し、他の表示装置の表示を消去するような制御は難しい。
【０００７】
上述の課題を鑑み、本発明は、マルチディスプレイ環境下で、個々の画像表示装置の省電力を設定できるようにした画像表示装置、画像表示装置の省電力管理方法、及びマルチディスプレイシステムの省電力管理装置を提供することを目的とする。
【課題を解決するための手段】
【０００８】
本発明の一態様に係る画像表示装置は、入力映像信号に基づく画面を表示する表示部と、前記入力映像信号の異なる時間における画面の変化量を検出する画面変化量検出部と、前記画面変化量検出部で検出された画面変化量に基づいて電力を制御する省電力制御部とを備えたことを特徴とする。
【０００９】
本発明の一態様に係る画像表示装置の省電力管理方法は、入力映像信号に基づく画面を表示する画像表示装置の省電力管理方法であって、入力映像信号の異なる時間における画面の変化量を検出する工程と、当該検出された画面変化量に基づいて電力を制御する工程とを含むことを特徴とする。
【００１０】
本発明の一態様に係るマルチディスプレイシステムの省電力管理装置は、複数の画像表示装置を配設したマルチディスプレイシステムの省電力管理装置であって、前記複数の画像管理装置は、入力映像信号に基づく画面を表示する表示部と、前記入力映像信号の異なる時間における画面の変化量を検出する画面変化量検出部と、前記画面変化量検出部で検出された画面変化量に基づいて電力を制御する省電力制御部とを備えることを特徴とする。
【発明の効果】
【００１１】
本発明によれば、入力映像信号の異なる時間における画面変化量を検出して電力を制御することで、複数の画像表示装置を配設したマルチディスプレイ環境下で、不使用の画像表示装置のみを、省電力状態に設定することができる。
【図面の簡単な説明】
【００１２】
【図１】本発明が適用できるマルチディスプレイシステムの概要の説明図である。
【図２】本発明の第１の実施形態に係る画像表示装置の省電力設定時の説明図である。
【図３】本発明の第１の実施形態に係る画像表示装置の構成を示すブロック図である。
【図４】本発明の第１の実施形態に係る画像表示装置における省電力管理機能部の機能ブロック図である。
【図５】本発明の第１の実施形態に係る画像表示装置の省電力制御のフローチャートである。
【図６】本発明の第２の実施形態に係る画像表示装置の省電力制御のフローチャートである。
【図７】本発明による画像表示装置の基本構成を示す概略ブロック図である。
【発明を実施するための形態】
【００１３】
以下、本発明の実施の形態について図面を参照しながら説明する。
＜第１の実施形態＞
図１は、本発明が適用できるマルチディスプレイシステム１の概要の説明図である。図１において、画像供給装置１０は、画像表示装置１１−１〜１１−３に映像信号を供給する。画像供給装置１０は、例えばＰＣ（personal Computer）である。画像供給装置１０には、キーボード１３やマウス１４等の入力デバイスが接続されている。なお、画像供給装置１０は、ＰＣに限定されず、外部に映像を送信できる機器であれば何れを用いてもよい。
【００１４】
画像表示装置１１−１〜１１−３は、画像供給装置１０からの映像を表示する。画像表示装置１１−１〜１１−３は、例えば液晶ディスプレイである。画像供給装置１０と画像表示装置１１−１〜１１−３とは、ケーブル１２−１〜１２−３を介して接続される。なお、ここでは、３台の画像表示装置１１−１〜１１−３を示しているが、画像表示装置１１−１〜１１−３の数はこれに限定されるものではない。また、以下の説明で、画像表示装置１１−１〜１１−３を特定しない場合には、画像表示装置１１と呼ぶ場合がある。なお、画像表示装置１１−１〜１１−３は、プロジェクタであってもよい。
【００１５】
このように、本実施形態では、１台の画像供給装置１０に対して、複数（この例では３台）の画像表示装置１１−１〜１１−３が接続される。複数の画像表示装置１１−１〜１１−３は、１つの大画面として扱うことができる。画像供給装置１０がＰＣの場合、複数の画像表示装置１１−１〜１１−３を並べてマルチディスプレイを構成することで、ユーザは広大な作業領域を確保でき、キーボード１３やマウス１４を操作して、各種の作業を行うことができる。
【００１６】
なお、この例では、画像供給装置１０と、複数の画像表示装置１１−１〜１１−３との間をそれぞれケーブル１２−１〜１２−３を介して接続しているが、画像供給装置１０と画像表示装置１１−１〜１１−３との間は、１つのケーブルでデイジーチェーンで接続するようにしてもよい。
【００１７】
マルチディスプレイ環境下で作業を行う場合、ユーザは、特定の画像表示装置だけを見て作業を行う場合がある。本実施形態に係る画像表示装置１１−１〜１１−３は、画面の変化量を検出して、省電力設定を行っている。これにより、マルチディスプレイ環境下で作業を行う場合に、個々の画像表示装置１１−１〜１１−３毎に、省電力の設定を行うことができる。
【００１８】
図２は、本発明の第１の実施形態に係る画像表示装置の省電力設定時の説明図である。図２（Ａ）は、全ての画像表示装置１１−１〜１１−３を使用して作業を行っている場合を示し、図２（Ｂ）は、画像表示装置１１−２のみを使用して作業を行っている場合を示している。
【００１９】
図２（Ａ）に示すように、全ての画像表示装置１１−１〜１１−３を使用して作業を行っている場合には、各画像表示装置１１−１〜１１−３に、それぞれの操作画面が表示されている。したがって、全ての画像表示装置１１−１〜１１−３の画面は、入力操作により変化している。本実施形態では、画像表示装置１１−１〜１１−３の画面の変化量が大きい場合には、使用中であると判定して、画像表示装置１１−１〜１１−３は、定常時の輝度で表示を行う。
【００２０】
図２（Ｂ）に示すように、画像表示装置１１−２のみを使用して作業を行っている場合には、画像表示装置１１−２にだけ操作画面が表示され、他の画像表示装置１１−１及び１１−３には、デスクトップ画面等が表示される。したがって、画像表示装置１１−２の画面は入力操作により変化するが、他の画像表示装置１１−１及び１１−３の画面は殆ど変化しない。本実施形態では、画像表示装置１１−２については、画面の変化量が大きいことから、使用中であると判定して、定常時の輝度で表示を行う。画像表示装置１１−１及び１１−３については、画面の変化量が殆どないことから、不使用であると判定して、画像表示装置１１−１及び１１−３の輝度を低下させる。このように、本実施形態では、画面の変化量を検出して省電力設定を行うことで、マルチディスプレイ環境下で作業を行う場合に、不使用の画像表示装置を低電力に設定して、消費電力の低減を図ることができる。
【００２１】
図３は、本発明の第１の実施形態に係る画像表示装置１１（１１−１〜１１−３）の構成を示すブロック図である。図３に示すように、画像表示装置１１は、入力処理部１０１、映像信号処理部１０２、映像信号出力部１０３、表示部１０４、バックライト１０５、制御部１０６、入力操作部１０７を備えている。
【００２２】
入力処理部１０１は、ＨＤＭＩ（High Definition Multimedia Interface）、ＶＧＡ（Video Graphics Array）、ＤＶＩ（Digital Visual Interface）、ＤＰ（DisplayPort）、ＲＧＢ、コンポジット等の映像入力端子を備えている。入力処理部１０１は、制御部１０６の制御の下に、所望の入力映像信号を選択し、選択した映像信号を映像信号処理部１０２に出力する。
【００２３】
映像信号処理部１０２は、入力処理部１０１からの映像信号に対して、輝度補正、色補正、解像度変換等、種々の映像処理を行う。映像信号処理部１０２の出力は、映像信号出力部１０３に供給される。また、本実施形態では、省電力管理機能を設定するために、映像信号処理部１０２からの映像信号は、制御部１０６に送られる。
【００２４】
映像信号出力部１０３は、表示部１０４の駆動回路からなり、映像信号処理部１０２からの映像信号を表示部１０４に出力する。
【００２５】
表示部１０４は、例えば液晶パネルであり、映像信号出力部１０３からの映像信号に基づく画像を表示する。表示部１０４の背面には、バックライト（光源）１０５が配設される。バックライト１０５の光量は、制御部１０６の制御の下に、電流調整回路の電流値を調整することにより設定できる。
【００２６】
制御部１０６は、画像表示装置全体の制御を行っている。また、本実施形態では、制御部１０６は、省電力管理機能部１１０を実現する。省電力管理機能部１１０は、画面の変化量を検出し、省電力設定を行っている。すなわち、省電力管理機能部１１０は、映像信号処理部１０２からの映像信号を入力し、所定の計測領域で、所定の計測時間、そのフレーム間差分を算出し、画面の変化量を検出する。そして、省電力管理機能部１１０は、所定の計測時間で、所定値以上の画面の変化量が検出されれば、当該画像表示装置１１は使用中であると判定して、バックライト１０５の輝度を定常値に設定する。また、省電力管理機能部１１０は、所定の計測時間、画面の変化量が殆ど検出されなければ、当該画像表示装置１１は不使用であると判定して、バックライト１０５の輝度を低下させる。
【００２７】
入力操作部１０７は、ユーザ操作を入力する。入力操作部１０７の入力操作には、省電力モードのオン／オフの設定や、省電力モードの強制解除の入力が含まれる。また、入力操作部１０７の入力操作には、上述の省電力管理機能部１１０で画面の変化を検出する際の各種計測パラメータ、例えば、計測領域や計測時間、しきい値等の入力が含まれる。
【００２８】
図４は、本発明の第１の実施形態に係る画像表示装置における省電力管理機能部１１０の機能ブロック図である。図４に示すように、省電力管理機能部１１０は、フレームメモリ１５０と、減算部１５１と、比較判定部１５２と、バックライト制御部１５３とから構成される。
【００２９】
フレームメモリ１５０は、映像信号処理部１０２からの各フレームの映像信号を格納する。減算部１５１は、映像信号処理部１０２からの映像信号と、フレームメモリ１５０を介して１フレーム遅延された映像信号とを減算して、フレーム間差分を算出する。
【００３０】
比較判定部１５２は、所定の計測時間、所定の計測領域のフレーム間差分から、画面の変化量を示す変化量検出値を生成し、この変化量検出値と所定のしきい値とを比較して、この比較出力をバックライト制御部１５３に出力する。なお、このときの計測領域や計測時間、しきい値等の計測パラメータは、入力操作部１０７の操作により、ユーザが設定できる。フレームメモリ１５０、減算部１５１、及び比較判定部１５２により、入力映像信号の画面の変化量を検出する画面変化量検出部が構成できる。
【００３１】
バックライト制御部１５３は、比較判定部１５２の出力に基いて、バックライト１０５の輝度を制御する。すなわち、バックライト制御部１５３は、比較判定部１５２での判定の結果、変化量検出値がしきい値より大きければ、当該画像表示装置１１は使用中であると判定して、バックライト１０５の輝度を定常時の輝度に維持する。また、バックライト制御部１５３は、比較判定部１５２での判定の結果、変化量検出値がしきい値より低ければ、当該画像表示装置１１は使用中ではないと判定して、バックライト１０５の輝度を低下させる。バックライト制御部１５３により、画面変化量に基いて電力を制御する省電力制御部が構成できる。
【００３２】
図５は、本発明の第１の実施形態に係る省電力制御のフローチャートである。
（ステップＳ１０１）制御部１０６は、映像信号処理部１０２から映像を入力し、処理をステップＳ１０２に進める。
【００３３】
（ステップＳ１０２）制御部１０６は、映像信号処理部１０２から１フレームの映像信号を取得し、このフレームの映像信号を記録して、処理をステップＳ１０３に進める。
【００３４】
（ステップＳ１０３）制御部１０６は、Ｎフレーム分の映像を取得したか否かを判定する。Ｎフレーム分の映像を取得していなければ（ステップＳ１０３：Ｎｏ）、処理をステップＳ１０１にリターンし、Ｎフレーム分の映像を取得したら（ステップＳ１０３：Ｙｅｓ）、処理をステップＳ１０４に進める。なお、Ｎは計測時間に対応するフレーム数であり、Ｎの値は、ユーザが設定した計測時間のパラメータに応じて設定される。
【００３５】
ステップＳ１０１からステップＳ１０３の処理を繰り返すことで、Ｎフレーム分のフレーム情報が取得できる。
【００３６】
（ステップＳ１０４）制御部１０６は、所定の計測領域で、Ｎフレーム分の映像信号の間、隣接するフレームのフレーム間差分を算出して、処理をステップＳ１０５に進める。なお、計測領域は、ユーザが設定したパラメータに応じて設定される。
【００３７】
（ステップＳ１０５）制御部１０６は、ステップＳ１０４で算出された所定の計測領域でのフレーム間差分から、画面の変化量を示す変化量検出値を算出して、処理をステップＳ１０６に進める。
【００３８】
（ステップＳ１０６）制御部１０６は、変化量検出値が所定のしきい値以上か否かを判定し、変化量検出値が所定のしきい値以上なら（ステップＳ１０６：Ｙｅｓ）、処理をステップＳ１０７に進め、変化量検出値が所定のしきい値以上でなければ（ステップＳ１０６：Ｎｏ）、処理をステップＳ１０９に進める。なお、しきい値は、ユーザが設定したパラメータに応じて設定される。
【００３９】
（ステップＳ１０７）制御部１０６は、バックライト１０５の輝度値を定常値に設定して、処理をステップＳ１０８に進める。
【００４０】
（ステップＳ１０８）制御部１０６は、変化量検出値をクリアして、ステップＳ１０１に処理をリターンする。
【００４１】
（ステップＳ１０９）制御部１０６は、バックライト１０５の輝度値を低輝度値に設定して、処理をステップＳ１１０に進める。
【００４２】
（ステップＳ１１０）制御部１０６は、入力操作部１０７から強制解除が入力されたか否かを判定し、強制解除が入力されていなければ（ステップＳ１１０：Ｎｏ）、処理をステップＳ１１１に進め、強制解除が入力されていれば（ステップＳ１１０：Ｙｅｓ）、処理をステップＳ１１２に進める。
【００４３】
（ステップＳ１１１）制御部１０６は、変化量検出値をクリアして、処理をステップＳ１０１にリターンする。
【００４４】
（ステップＳ１１２）制御部１０６は、バックライト１０５の輝度値を定常値に戻して、処理を終了する。
【００４５】
以上のような処理により、当該画像表示装置１１が使用中なら、バックライト１０５の輝度を定常時の輝度に維持し、当該画像表示装置１１が不使用なら、バックライト１０５の輝度を低下させて省電力を図るような制御が実現できる。
【００４６】
つまり、ステップＳ１０１からステップＳ１０３の処理を繰り返すことで、所定の計測時間に対応するＮフレーム分の映像信号が取得される。そして、ステップＳ１０４で、所定の計測領域で、Ｎフレーム分の映像信号から、隣接するフレームのフレーム間差分が算出され、ステップＳ１０５で、フレーム間差分を基に、変化量検出値が算出される。そして、ステップＳ１０６で、変化量検出値としきい値とが比較される。
【００４７】
当該画像表示装置１１が使用中なら、画面の変化量は大きいので、ステップＳ１０６で、変化量検出値は所定のしきい値以上であると判定される（ステップＳ１０６：Ｙｅｓ）。この場合には、ステップＳ１０７で、バックライト１０５の輝度値が定常値に設定され、ステップＳ１０８で今回の変化量検出値がクリアされて、ステップＳ１０１に処理がリターンされる。これにより、ステップＳ１０１からステップＳ１０８の処理が繰り返されることになり、バックライト１０５の輝度値は定常値に維持される。
【００４８】
これに対して、当該画像表示装置１１が不使用なら、画面の変化量は殆どないので、ステップＳ１０６で、変化量検出値は所定のしきい値未満と判定される（ステップＳ１０６：Ｎｏ）。この場合には、ステップＳ１０９で、バックライト１０５の輝度値が下げられる。そして、強制解除の入力がなければ（ステップＳ１１０：Ｎｏ）、今回の変化量検出値がクリアされて、（ステップＳ１１１）、処理がステップＳ１０１に戻される。これにより、ステップＳ１０１〜ステップＳ１０６、ステップＳ１０９〜ステップＳ１１１の処理が繰り返されることになり、バックライト１０５の輝度値は下げられる。
【００４９】
また、本実施形態では、省電力の設定を強制解除することができる。すなわち、強制解除の入力があると、ステップＳ１１０で強制解除の入力ありと判定され（ステップＳ１１０：Ｙｅｓ）、省電力モードが解除され、ステップＳ１１２でバックライト１０５の輝度値が定常値に戻される。
【００５０】
また、画像表示装置１１が不使用の状態から使用中の状態に移行すると、バックライト１０５の輝度値は低輝度の状態から定常値の輝度に復帰する。すなわち、画像表示装置１１が不使用の状態では、ステップＳ１０１〜ステップＳ１０６、ステップＳ１０９〜ステップＳ１１１の処理が繰り返されている。この状態から、使用中の状態に移行すると、ステップＳ１０６で、変化量検出値は所定のしきい値以上と判定されるようになる。これにより、ステップＳ１０７でバックライト１０５の輝度値が定常値になり、ステップＳ１０８で変化量検出値がクリアされた後、ステップＳ１０１からステップＳ１０８の処理が繰り返される。このため、バックライト１０５の輝度値は定常値に復帰するようになる。
【００５１】
なお、上述の例では、フレーム間差分に基づいて算出された変化量検出値がしきい値以上ならバックライト１０５の輝度値を定常値に設定し、変化量検出値がしきい値未満ならバックライト１０５の輝度値を低下させているが、バックライト１０５の輝度値を変化量検出値に応じてリニアに或いは段階的に変化させるようにしてもよい。
【００５２】
以上説明したように、本実施形態では、フレーム間差分に基づいて画面の変化量を検出し、画面の変化量が小さい場合に、省電力に設定している。これにより、マルチディスプレイ環境下で、特定の画像表示装置のみを使用して作業を行っている場合に、使用中の画像表示装置のみ定常時の輝度で表示を行い、不使用の表示装置の輝度を下げて、消費電力の低減を図ることができる。
【００５３】
また、本実施形態では、画面の変化量を検出する際の計測領域や計測時間をユーザが設定することができる。これにより、ユーザが特定した時間について、ユーザが特定した領域についてのみ、画面の変化量を検出することができ、画像表示装置が使用中であるか否かの判定精度を向上できる。
【００５４】
また、本実施形態では、フレーム間差分に基づいて算出された変化量検出値としきい値とを比較して省電力に設定しており、このしきい値をユーザが設定できる。これにより、画面の変化量がどのレベルに達したら、画像表示装置が使用中であるかの判定をユーザが設定することができる。
【００５５】
また、本実施形態では、画像表示装置が省電力に設定されていても、強制解除の入力により、直ちに、省電力モードを解除して、バックライト１０５の輝度値を定常値に戻すことができる。
【００５６】
＜第２の実施形態＞
次に、本発明の第２の実施形態について説明する。図６は、本発明の第２の実施形態に係る画像表示装置の省電力制御のフローチャートである。前述の第１の実施形態では、所定の計測期間に、フレーム間差分を算出して、画面の変化量を判定している。これに対して、この第２の実施形態では、各フレームの映像ヒストグラムを生成し、所定の計測期間に、映像ヒストグラムを比較して、画面の変化量を判定している。この第２の実施形態の基本構成は、第１の実施形態と同様である。
【００５７】
（ステップＳ２０１）制御部１０６は、映像信号処理部１０２から映像を入力し、処理をステップＳ２０２に進める。
【００５８】
（ステップＳ２０２）制御部１０６は、映像信号処理部１０２から１フレームの映像信号を取得し、このフレームの映像信号を記録して、処理をステップＳ２０３に進める。
【００５９】
（ステップＳ２０３）制御部１０６は、Ｎフレーム分の映像を取得したか否かを判定する。Ｎフレーム分の映像を取得していなければ（ステップＳ２０３：Ｎｏ）、処理をステップＳ２０１にリターンし、Ｎフレーム分の映像を取得したら（ステップＳ２０３：Ｙｅｓ）、処理をステップＳ２０４に進める。
【００６０】
（ステップＳ２０４）制御部１０６は、所定の計測領域で、Ｎフレーム分の映像信号から、映像ヒストグラムを作成し、処理をステップＳ２０５に進める。
【００６１】
（ステップＳ２０５）制御部１０６は、隣接するフレームのフレーム間で、映像ヒストグラムの差分を算出して、処理をステップＳ２０６に進める。
【００６２】
（ステップＳ２０６）制御部１０６は、ステップＳ２０５で算出された所定の計測領域での映像ヒストグラムの差分から、画面の変化量を示す変化量検出値を算出して、処理をステップＳ２０７に進める。
【００６３】
（ステップＳ２０７）制御部１０６は、変化量検出値が所定のしきい値以上か否かを判定し、変化量検出値が所定のしきい値以上なら（ステップＳ２０７：Ｙｅｓ）、処理をステップＳ２０８に進め、変化量検出値が所定のしきい値以上でなければ（ステップＳ２０７：Ｎｏ）、処理をステップＳ２１０に進める。
【００６４】
（ステップＳ２０８）制御部１０６は、バックライト１０５の輝度値を定常値に設定して、処理をステップＳ２０９に進める。
【００６５】
（ステップＳ２０９）制御部１０６は、変化量検出値をクリアして、ステップＳ２０１に処理をリターンする。
【００６６】
（ステップＳ２１０）制御部１０６は、バックライト１０５の輝度値を低下させて、処理をステップＳ２１１に進める。
【００６７】
（ステップＳ２１１）制御部１０６は、入力操作部１０７から強制解除が入力されたか否かを判定し、強制解除が入力されていなければ（ステップＳ２１１：Ｎｏ）、処理をステップＳ２１２に進め、強制解除が入力されていれば（ステップＳ２１１：Ｙｅｓ）、処理をステップＳ２１３に進める。
【００６８】
（ステップＳ２１２）制御部１０６は、変化量検出値をクリアして、処理をステップＳ２０１にリターンする。
【００６９】
（ステップＳ２１３）制御部１０６は、バックライト１０５の輝度値を定常値に戻して、処理を終了する。
【００７０】
前述の第１の実施形態では、所定の計測期間に、フレーム間差分を算出して、画面の変化量を判定している。フレーム間差分を求めるには、画素毎の演算が必要であり、演算量が膨大になる。これに対して、この第２の実施形態では、各フレームの映像ヒストグラムを生成し、所定の計測期間に、映像ヒストグラムを比較して、画面の変化量を判定している。映像ヒストグラムは、輝度情報が同一となる画素の出現数の分散を示すものである。輝度情報は、映像信号の色情報と階調情報とを含む情報である。映像ヒストグラムでフレーム間差分を求める場合、同一となる輝度情報毎に、その出現数を比較する演算となる。輝度情報の階調は、例えば８ビットなら２５６であり、画素数に比べて格段に小さい。このため、映像ヒストグラムを比較して画面の変化量を判定することで、演算量を大幅に削減できることになる。
【００７１】
図７は、本発明による画像表示装置の基本構成を示す概略ブロック図である。本発明による画像表示装置２００の基本構成は、表示部２０１、画面変化量検出部２０２、及び省電力制御部２０３を基本構成とする。表示部２０１は、入力映像信号に基づく画面を表示する。画面変化量検出部２０２は、入力映像信号の画面の変化量を検出する。省電力制御部２０３は、画面変化量に基づいて電力を制御する。
【００７２】
上述した実施形態におけるマルチディスプレイシステム１の全部または一部をコンピュータで実現するようにしてもよい。その場合、この機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよく、ＦＰＧＡ等のプログラマブルロジックデバイスを用いて実現されるものであってもよい。
【００７３】
以上、この発明の実施形態について図面を参照して詳述してきたが、具体的な構成はこの実施形態に限られるものではなく、この発明の要旨を逸脱しない範囲の設計等も含まれる。
【符号の説明】
【００７４】
１０：画像供給装置、１１（１１−１〜１１−３）：画像表示装置、１０１：入力処理部、１０２：映像信号処理部、１０３：映像信号出力部、１０４：表示部、１０５：バックライト、１０６：制御部、１０７：入力操作部、１１０：省電力管理機能部、１５０：フレームメモリ、１５１：減算部、１５２：比較判定部、１５３：バックライト制御部、２０１：表示部、２０２：画面変化量検出部、２０３：省電力制御部
【図１】
2019144302.tif 000003
【図２】
2019144302.tif 000004
【図３】
2019144302.tif 000005
【図４】
2019144302.tif 000006
【図５】
2019144302.tif 000007
【図６】
2019144302.tif 000008
【図７】
2019144302.tif 000009